(57)【要約】      （修正有）【課題】通常は容易に開かない付箋紙カバーが、簡単な操作で全面的に開けられるようにした付箋紙収納ケースを提供する。【解決手段】平行に配置された概略同等なる寸法の２枚の短冊状台紙１，２を結合するための複数枚の帯状シート３，４，５を、該台紙の間隙部で交互に、たすき掛けになるように配設し、帯状シートが台紙を覆っている部分の台紙表面と帯状シート裏面に、付箋紙束を着脱可能な接着剤で接着して収納した後、帯状シートを台紙の外側の端面で折り返した後、その部分を該台紙に接着した付箋紙収納ケースとする。使用時は、台紙１，２の裏面同士が接するように中央部で折り曲げた後、台紙２の付箋紙接着面と帯状シート３の付箋紙接着面の間を開けば、付箋紙がケースの表面に現れる。【選択図】図１
0003184035.tif 000002
【実用新案登録請求の範囲】
【請求項１】
平行に配置した２枚の短冊状の台紙の一方の台紙の上部の部分と下部の部分の表面に、２枚の台紙が隣接する端面の付近から、外側に向かって、別々の２枚の帯状シートをそれぞれ接着し、該シートを該台紙の外側の端面のところで折り返し、該台紙の裏面に接するように配設した後、二つの台紙の間隙部をとおって、もう一方の台紙の表面に回り込み、該台紙の表面に接するように配設した後、該台紙の外側の端面のところで折り返して、該台紙の裏面に接するように配設してその部分を該台紙に接着する。
また、該台紙の中央部分の表面には、二つの台紙が隣接する端面の付近から、外側に向かって、先の二枚のシートとは別の帯状のシートを接着し、該台紙の外側の端面のところで折り返し、該台紙の裏面に接するように配設した後、二つの台紙の間隙部をとおって、もう一方の台紙の表面に回り込み、該台紙の表面に接するように配設した後、該台紙の外側の端面のところで折り返し、該台紙の裏面に接するように配設した後、その部分を該台紙に接着したことを特徴とする回転式台紙を有するケース。
【請求項２】
請求項１に記載した２枚の台紙と複数枚の帯状シートで構成されたケースにおいて、帯状シートに覆われた台紙の表面部分に、付箋紙の束を着脱可能な接着剤で接着し、また、該付箋紙束を覆う帯状のシートの裏面部分には別の付箋紙束を着脱可能な接着剤で接着したことを特徴とする回転式台紙を有する付箋紙収納ケース。
【考案の詳細な説明】
【技術分野】
【０００１】  この考案は書籍などに挟んで使うしおりを兼ねた付箋紙の収納ケースに関するものである。
【背景技術】
【０００２】  読書をする際には、一般的には、どこまで読み終わったのかを示すしおりとともに、重要と思われる個所にしるしを残すための付箋紙が用いられてきた。しかし、しおりと付箋紙の束が別々になっていると、外出先などでの読書の際に付箋紙の束を取り出したり収納したりする手間がかかるので、しおりの表面に付箋紙を配設するとともに、該付箋紙の自然剥離や折れ曲がり、まくれ上がりなどを防止する目的で、付箋紙部全体やその一部をカバーで覆うなどということがなされてきた。
【先行技術文献】
【特許文献】
【０００３】
【特許文献１】特開平９−１１６６４
【０００４】
【特許文献２】特開２００２−３０８３５３
【考案の概要】
【考案が解決しようとする課題】
【０００５】  これは、次のような欠点があった。
付箋紙を容易に取り出すためにはケースのカバー全体が容易に開けられなければならないが、カバー全体が容易に開くと、しおりを挟みなおすために本から取り出した際にカバーが誤って開いてしまい、中の付箋紙の端部がまくれ上がったり、自然剥離してしまったりするという欠点があった。また、これを防止するためにカバーの解放を制限できるようにすると、付箋紙を取り出す際にカバーが邪魔になって、指が自由に動かしにくくなり、容易に付箋紙が取り出せないという欠点があった。
本考案は、以上のような欠点をなくすためになされたものである。
【課題を解決するための手段】
【０００６】  本発明は、二枚の短冊状の台紙（１）、（２）と、その台紙をつなぐ複数枚の帯状のシート（３）、（４）、（５）で構成した付箋紙収納ケースである。
【考案の効果】
【０００７】  本考案の構成によれば、しおりとして使用しているときは、帯状のシートが付箋紙の表面を完全に覆い、また付箋紙を使おうとする際には、非常に容易に付箋紙がケースの表面に現れるようにすることができるので、読書の最中は付箋紙のまくれ上がりや自然剥離を気にせずしおりとして使用することができるにもかかわらず、付箋紙を必要とする時には容易に付箋紙の束が完全にケース表面に現れるようにできるので、付箋紙を一枚ずつ取り出す作業が大変やりやすくなるという効果がある。
【図面の簡単な説明】
【０００８】
【図１】  本考案の斜視図である。
【図２】  本考案のケースをしおりとして使用している場合の正面図である。
【図３】  図２におけるＡＡ断面図である。
【図４】  図２におけるＢＢ断面図である。
【図５】から
【図９】は図２におけるＡＡ断面について、付箋紙が収納された状態から付箋紙を使用する状態へ、台紙を回転する過程を示した遷移図である。
【図１０】  本考案のケースの付箋紙を、使用する状態にした時の正面図である。
【図１１】  図１０におけるＡＡ断面図である。
【図１２】  図１０におけるＢＢ断面図である。
【図１３】  本考案の他の実施例を示す正面図である。
【図１４】  図１３におけるＡＡ断面図である。
【図１５】  本考案のもう一つの実施例を示す正面図である。
【考案を実施するための形態】
【０００９】  以下、本考案を実施するための形態について図２を用いて説明する。
２枚の短冊状の台紙（１）、（２）を平行に配置する。次に、該台紙（１）の上部の部分と下部の部分の表面に、台紙（１）と（２）が隣接する端面の付近から、外側に向かって、別々の帯状シート（４）、（５）をそれぞれ接着する。シート（４）、（５）は台紙（１）の外側の端面のところで折り返され、台紙（１）の裏面に接するように配設された後、台紙（１）と台紙（２）の間隙部をとおって、台紙（２）の表面に回り込み、台紙（２）の表面に接するように配設された後、台紙（２）の外側の端面のところで折り返され、台紙（２）の下面に接するように配設された後、その部分が台紙（２）に接着される。
一方、該台紙（２）の中央部分の表面には、台紙（１）と（２）が隣接する端面の付近から外側に向かって帯状のシート（３）を接着する。シート（３）は台紙（２）の外側の端面のところで折り返され、台紙（２）の裏面に接するように配設された後、台紙（１）と台紙（２）の間隙部をとおって、台紙（１）の表面に回り込み、台紙（１）の表面に接するように配設された後、台紙（１）の外側の端面のところで折り返され、台紙（１）の裏面に接するように配設されてその部分が台紙（１）に接着される。
この時図３に示すように、着脱可能な接着剤で束状になった数枚の付箋紙（７）が、帯状シート（３）に覆われた台紙（１）の中央部分の表面に着脱可能な接着剤で接着されるとともに、着脱可能な接着剤で束状になった別の数枚の付箋紙（６）が、付箋紙（７）を覆う帯状のシート（３）の内面部分に着脱可能な接着剤で接着される。
同様に、帯状シート（３）に覆われた台紙（２）の中央部分の裏面には、図３に示すように、付箋紙（３）が束状になって着脱可能な接着剤で接着され、付箋紙（３）を覆う帯状シート（３）の内面には別の付箋紙（８）が束状になって着脱可能な接着剤で接着されている。
本考案は、以上のような構造である。
これを使用するときには、台紙（１）、（２）を図６のように中央部が凸になるように折り曲げていき、一旦、図７のように台紙（１）、（２）の裏面同士が接するように台紙（１）と（２）を９０度回転させて折り曲げた後、図８のように台紙（２）の付箋紙（９）が接着してある面と、帯状シート（３）の付箋紙（８）が接着してある面の間を開いて台紙（１）、（２）をさらに９０度回転する。このようにすることによって付箋紙（８）、（９）はケースの表面に完全に現れる。付箋紙を収納する場合には、以上の手順を逆に行う。
また付箋紙が収納されている状態で、台紙（１）、（２）と帯状シートで構成された本考案のケースを裏返した後、同様の手順で台紙を操作すれば、付箋紙（６）（７）をケース表面に露出させることができる。
本考案の構造によれば２枚の台紙の背面を一旦背中合わせにしない限り、付箋紙の装着された台紙面や帯状シート面を露出させることができないので、本考案のケースをしおりとして使用している際には、付箋紙は容易に露出せず、付箋紙のまくれ上がりや、自然剥離は起こらない。
【その他の実施例】
【００１０】  ここでは４か所に付箋紙を装着する実施例を説明したが、図３に示した付箋紙（６）と（７）を取り付けることなく、該付箋紙が装着されていた帯状シートの裏面と台紙（１）の表面を接着すれば、付箋紙を２か所に装着したケースを得ることができる。
また、図１３、図１４に示した実施例のように付箋紙の代わりに二つに折り曲げた内蔵シートを配設することもできるし、台紙や帯状シートの表面や裏面に任意の模様や文字などを印刷したり、印刷したシートを張り付けたりすることもできる。
なお、台紙（１）、（２）の形状は矩形である必要はなく、図１５に示した実施例のように上部にしおりとして使う場合のひもを通すための穴部を設けたつまみ等を付けることもできる。
さらに、複数の帯状シートは、幅を図２のような寸法比率にしたり、数を３に限定したりする必要はなく、それぞれ任意の寸法や２以上の数に設定することができるし、付箋紙を配設する部分が、中央のシート部のみに限定されないのは当然である。
【符号の説明】
【００１１】  １、２  台紙
３、４、５  帯状のシート
６、７、８、９  束状の付箋紙
１０、１１  内蔵シート
１２  つまみ
【図１】
0003184035.tif 000003
【図２】
0003184035.tif 000004
【図３】
0003184035.tif 000005
【図４】
0003184035.tif 000006
【図５】
0003184035.tif 000007
【図６】
0003184035.tif 000008
【図７】
0003184035.tif 000009
【図８】
0003184035.tif 000010
【図９】
0003184035.tif 000011
【図１０】
0003184035.tif 000012
【図１１】
0003184035.tif 000013
【図１２】
0003184035.tif 000014
【図１３】
0003184035.tif 000015
【図１４】
0003184035.tif 000016
【図１５】
0003184035.tif 000017
【手続補正書】
【提出日】平成25年3月14日(2013.3.14)
【手続補正１】
【補正対象書類名】実用新案登録請求の範囲
【補正対象項目名】全文
【補正方法】変更
【補正の内容】
【実用新案登録請求の範囲】
【請求項１】
平行に配置した２枚の短冊状の台紙の一方の台紙（１）の上部の部分と下部の部分の表面に、２枚の台紙が隣接する端面の付近から、外側に向かって、別々の２枚の帯状シートをそれぞれ接着し、該シートを台紙（１）の外側の端面のところで折り返し、台紙（１）の裏面に接するように配設した後、二つの台紙の間隙部をとおって、もう一方の台紙（２）の表面に回り込み、台紙（２）の表面に接するように配設した後、台紙（２）の外側の端面のところで折り返して、台紙（２）の裏面に接するように配設してその部分を台紙（２）に接着するとともに、台紙（２）の中央部分の表面には、二つの台紙が隣接する端面の付近から、外側に向かって、先の二枚のシートとは別の帯状のシートを接着し、台紙（２）の外側の端面のところで折り返し、台紙（２）の裏面に接するように配設した後、二つの台紙の間隙部をとおって、台紙（１）の表面に回り込み、台紙（１）の表面に接するように配設した後、台紙（１）の外側の端面のところで折り返し、台紙（１）の裏面に接するように配設した後、その部分を台紙（１）に接着したことを特徴とする回転式台紙を有するケース。
【請求項２】
請求項１に記載した２枚の台紙と複数枚の帯状シートで構成されたケースにおいて、帯状シートに覆われた台紙の表面部分に、付箋紙の束を着脱可能な接着剤等で装着し、また、該付箋紙束を覆う帯状のシートの裏面部分には別の付箋紙束を着脱可能な接着剤等で装着したことを特徴とする回転式台紙を有する付箋紙収納ケース。